【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
現像剤を加熱して媒体上に定着させる定着装置において、
前記現像剤と前記媒体へ熱を供給する定着部材と、
前記定着部材を加熱する発熱体と、
前記発熱体を支持する支持部材と、
前記定着部材を前記発熱体に押圧する押圧部材と、
前記定着部材と当接する第１の加圧部材と、
前記定着部材と当接する第２の加圧部材とを有することを特徴とする定着装置。
【請求項２】
請求項１の定着装置において、
前記定着部材は、前記媒体とともに移動し、前記現像剤と前記媒体へ熱を供給する定着ベルトであり、
前記押圧部材は、前記発熱体を前記支持部材に前記定着ベルトを介して押圧し、
前記第１の加圧部材は、前記定着ベルトの移動方向における前記押圧部材の下流に前記定着ベルトの一面に接触し、
前記第２の加圧部材は、前記定着ベルトを挟んで前記第１の加圧部材と対向して配置され、前記定着ベルトに前記媒体を押圧する加圧ローラであり、
前記支持部材は、前記押圧部材と前記加圧ローラとの間で前記定着ベルトと接触していることを特徴とする定着装置。
【請求項３】
請求項２の定着装置において、
前記定着ベルトは、無端状ベルトであることを特徴とする定着装置。
【請求項４】
請求項３の定着装置において、
前記定着ベルトは、回転するときに前記押圧部材と前記加圧ローラとの間で張られて前記支持部材に接触することを特徴とする定着装置。
【請求項５】
請求項２、請求項３または請求項４の定着装置において、
前記支持部材は、前記定着ベルトの移動方向における前記定着ベルトとの接触部の長さが前記移動方向に直交する方向で一定であることを特徴とする定着装置。
【請求項６】
請求項２、請求項３または請求項４の定着装置において、
前記支持部材は、前記定着ベルトの移動方向における前記定着ベルトとの接触部の長さが前記移動方向に直交する方向の中央部と端部で異なることを特徴とする定着装置。
【請求項７】
請求項１から請求項６のいずれか１項の定着装置において、
前記第１の加圧部材は、定着ローラであることを特徴とする定着装置。
【請求項８】
請求項１から請求項７のいずれか１項の定着装置において、
前記支持部材は、押出し加工を用いて成型されていることを特徴とする定着装置。
【請求項９】
請求項１から請求項７のいずれか１項の定着装置において、
前記支持部材は、板材からプレス加工を用いて成型されていることを特徴とする定着装置。
【請求項１０】
現像剤を加熱して媒体上に定着させる定着装置において、
前記現像剤と前記媒体へ熱を供給し、所定の方向へ移動する定着部材と、
前記定着部材を加熱する発熱体と、
前記発熱体を支持し、前記定着部材と摺動する摺動部を有する支持部材と、
前記定着部材を前記発熱体に押圧する押圧部材と、
前記定着部材と当接する第１の加圧部材と、
前記定着部材と当接する第２の加圧部材とを有し、
前記摺動部は、前記定着部材の移動方向における前記発熱体の下流側に配設されていることを特徴とする定着装置。
【請求項１１】
請求項１０の定着装置において、
前記定着部材は、前記媒体とともに移動し、前記現像剤および前記媒体へ熱を供給する定着ベルトであり、
前記押圧部材は、前記発熱体を前記支持部材に前記定着ベルトを介して押圧し、
前記第１の加圧部材は、前記定着ベルトの移動方向における前記押圧部材の下流で前記定着ベルトの一面に接触し、
前記第２の加圧部材は、前記定着ベルトを挟んで前記第１の加圧部材と対向して配置され、前記定着ベルトに前記媒体を押圧する加圧ローラであり、
前記支持部材は、略半円筒状の曲面が形成され、前記押圧部材と前記第１の加圧部材との間で前記曲面が前記定着ベルトと接触していることを特徴とする定着装置。
【請求項１２】
請求項１１の定着装置において、
前記第１の加圧部材は、前記支持部材に形成されていることを特徴とする定着装置。
【請求項１３】
請求項１１または請求項１２の定着装置において、
前記定着ベルトは、無端状ベルトであり、
前記曲面の半径が、前記定着ベルトの半径と略等しいことを特徴とする定着装置。
【請求項１４】
請求項１１または請求項１２の定着装置において、
前記定着ベルトは、無端状ベルトであり、
前記定着ベルトの移動方向における下流側の前記曲面の半径が、上流側の前記曲面の半径より小さいことを特徴とする定着装置。
【請求項１５】
請求項１３または請求項１４の定着装置において、
前記定着ベルトは、回転するときに前記押圧部材と前記加圧ローラとの間で張られて前記曲面に接触することを特徴とする定着装置。
【請求項１６】
請求項１３から請求項１５のいずれか１項の定着装置において、
前記定着ベルトを張架する張架ローラを設け、
前記定着ベルトは、前記曲面に接触することを特徴とする定着装置。
【請求項１７】
請求項１６の定着装置において、
前記張架ローラは、前記定着ベルトを前記曲面に接触させる方向かつ前記発熱体へ接触させる方向へ付勢されていることを特徴とする定着装置。
【請求項１８】
現像剤を加熱して媒体上に定着させる定着装置を有する画像形成装置において、
前記現像剤と前記媒体へ熱を供給する定着部材と、
前記定着部材を加熱する発熱体と、
前記発熱体を支持する支持部材と、
前記定着部材を前記発熱体に押圧する押圧部材と、
前記定着部材と当接する第１の加圧部材と、
前記定着部材と当接する第２の加圧部材とを有することを特徴とする画像形成装置。
【手続補正２】
【補正対象書類名】明細書
【補正対象項目名】０００６
【補正方法】変更
【補正の内容】
【０００６】
そのため、本発明は、現像剤を加熱して媒体上に定着させる定着装置において、前記現像剤と前記媒体へ熱を供給する定着部材と、前記定着部材を加熱する発熱体と、前記発熱体を支持する支持部材と、前記定着部材を前記発熱体に押圧する押圧部材と、前記定着部材と当接する第１の加圧部材と、前記定着部材と当接する第２の加圧部材とを有することを特徴とする。
【手続補正３】
【補正対象書類名】明細書
【補正対象項目名】００１８
【補正方法】変更
【補正の内容】
【００１８】
図１において、定着装置２６は、用紙を搬送するために用紙とともに移動し、その用紙および現像剤としてのトナーに熱を供給する定着部材としての無端状の定着ベルト２、接触する定着ベルト２を加熱する加熱手段としての面状発熱体４、面状発熱体４を支持する支持部材としての支持体３、定着ベルト２と面状発熱体４の接触を安定させる安定化手段および定着ベルト２を介して面状発熱体４を支持体３に押圧する押圧手段（押圧部材）としての補助ローラ８、定着ベルト２の移動方向における補助ローラ８の下流に配置され、定着ベルト２の一面に接触する第３の加圧部材としての加圧部材（加圧パッド）９および第１の加圧部材としての定着ローラ１、定着ベルト２を挟んで加圧部材９および定着ローラ１と対向配置され、定着ベルト２に用紙を押圧する第２の加圧部材としての加圧ローラ５からなり、図１における矢印が示す媒体搬送方向に搬送される用紙７に未定着トナー６を定着させる。
【手続補正４】
【補正対象書類名】明細書
【補正対象項目名】００６２
【補正方法】変更
【補正の内容】
【００６２】
図１３および図１４において、定着装置２６は、定着ローラ１と、複数の部材に巻き掛けられ、用紙を搬送するために用紙とともに移動し、その用紙およびトナーに熱を供給する無端状の定着ベルト２と、定着ベルト２を加熱する熱源としての面状ヒータ（面状発熱体）１０４と、面状ヒータ１０４を支持する支持部材（支持体）１０３と、支持部材１０３に支持された面状ヒータ１０４をその支持部材１０３に定着ベルト２を介して押圧する押圧部材としての押圧ローラ１０８と、支持部材１０３の端部に固定されて定着ベルト２の移動方向における押圧ローラ１０８の下流に配置され、定着ベルト２の一面に接触する加圧部材（ニップ形成部材）としての定着パッド１０９と、定着ベルト２の移動方向における押圧ローラ１０８の下流に、定着パッド１０９および定着ローラ１に対向して配置され、定着ベルト２を定着パッド１０９および定着ローラ１に圧接する第２の加圧部材としての加圧ローラ５とを備え、図１３における矢印が示す媒体搬送方向に搬送される用紙７に未定着トナー６を定着させる。